(57)【要約】【課題】  患者眼の患部を好適に観察して、患者眼の患部を好適に治療できる眼科用レーザ治療装置を提供する。【解決手段】  患者眼の患部を観察する観察光学系と、観察光学系に設けられて第１波長レーザ光を反射する第１反射領域を有する第１反射面と、観察光学系に設けられて第２波長レーザ光を反射する第２反射領域を有する第２反射面を備えている。観察光学系の観察光軸と直交する方向からみた場合に，第１反射面と第２反射面との少なくとも一部が重なっており、第１反射面と第２反射面とを観察光学系の観察光が透過する。また、第１波長レーザ光を射出するレーザ光源と、レーザ光源によって射出された第１波長レーザ光を第２波長レーザ光に変換する波長変換手段をさらに備えている。【選択図】      図１
2016193072.tif 000002
【特許請求の範囲】
【請求項１】
患者眼の患部を観察する観察光学系と、
前記観察光学系に設けられ、第１波長レーザ光を反射する第１反射領域を有する第１反射面と、
前記観察光学系に設けられ、第２波長レーザ光を反射する第２反射領域を有する第２反射面と、
を備え、
前記観察光学系の観察光軸と直交する方向からみた場合に，前記第１反射面と前記第２反射面との少なくとも一部が重なっており、
前記第１反射面と前記第２反射面とを前記観察光学系の観察光が透過する、
ことを特徴とする眼科用レーザ治療装置。
【請求項２】
請求項１に記載の眼科用レーザ治療装置であって、
前記第１波長レーザ光を射出するレーザ光源と、
前記レーザ光源によって射出された前記第１波長レーザ光を前記第２波長レーザ光に変換する波長変換手段と、
をさらに備えたことを特徴とする眼科用レーザ治療装置。
【請求項３】
請求項１または２に記載の眼科用レーザ治療装置であって、
前記第２波長レーザ光は前記第１反射領域を透過した後に前記第２反射領域で反射する、
ことを特徴とする眼科用レーザ治療装置。
【請求項４】
請求項１〜３のいずれか１項に記載の眼科用レーザ治療装置であって、
前記第１反射面と前記第２反射面とは、前記観察光学系の光軸に対して同じ方向に向けて傾斜している、
ことを特徴とする眼科用レーザ治療装置。
【請求項５】
請求項１〜４のいずれか１項に記載の眼科用レーザ治療装置であって、
両面に光学面が形成されたプレート型の光学部材を備え、
前記光学部材の一方の面に前記第１反射面が設けられ、他方の面に前記第２反射面が設けられる、
ことを特徴とする眼科用レーザ治療装置。
【請求項６】
請求項１〜５のいずれか１項に記載の眼科用レーザ治療装置であって、
前記第１波長レーザ光は赤外光であり、
前記第２波長レーザ光は可視光であり、
前記観察光と前記第１反射領域とが重なる重畳面積は、前記観察光と前記第２反射領域とが重なる重畳面積よりも大きい、
ことを特徴とする眼科用レーザ治療装置。
【請求項７】
請求項６に記載の眼科用レーザ治療装置であって、
前記第１反射面に形成される前記第１反射領域の面積は、前記第２反射面に形成される前記第２反射領域の面積よりも大きい、
ことを特徴とする眼科用レーザ治療装置。
【請求項８】
請求項１〜７のいずれか１項に記載の眼科用レーザ治療装置であって、
分離した複数の観察光が前記第２反射面を透過して、
前記分離した複数の観察光の光路の間に前記第２反射領域が形成されている、
ことを特徴とする眼科用レーザ治療装置。
【請求項９】
請求項１〜８のいずれか１項に記載の眼科用レーザ治療装置であって、
前記第１波長レーザ光と前記第２波長レーザ光とを同軸にして前記第１反射面または前記第２反射面に入射させる、
ことを特徴とする眼科用レーザ治療装置。
【請求項１０】
請求項１〜９のいずれか１項に記載の眼科用レーザ治療装置であって、
前記観察光学系には対物レンズが含まれ、
前記観察光学系には、前記第１反射面および前記第２反射面よりも患者眼側に前記対物レンズが配置される、
ことを特徴とする眼科用レーザ治療装置。
【請求項１１】
請求項１〜１０のいずれか１項に記載の眼科用レーザ治療装置であって、
前記第１波長レーザ光を用いて患者眼の組織を光破壊または光破裂し、
前記第２波長レーザ光を用いて患者眼の組織を光加熱する、
ことを特徴とする眼科用レーザ治療装置。
【発明の詳細な説明】
【技術分野】
【０００１】
本開示は、患者眼にレーザ光を照射して治療を行う眼科用レーザ治療装置に関する。
【背景技術】
【０００２】
患者眼にレーザ光を照射して治療を行うレーザ治療装置が知られている。例えば、特許文献１のレーザ治療装置は、術者が患者眼の観察部位を観察する観察光学系と、患者眼の組織を治療するための治療レーザ光を出射する照射光学系を備えている。また、特許文献１のレーザ治療装置は、波長変換素子を用いて、レーザ光源によって出射された赤外レーザ光（波長：１０６４ｎｍ）を可視レーザ光（波長：５３２ｎｍ）に変換できる。
【先行技術文献】
【特許文献】
【０００３】
【特許文献１】特開２０１４−２３３４６９号公報
【発明の概要】
【発明が解決しようとする課題】
【０００４】
ところで、患者眼を観察する観察光学系の複数の位置に、患者眼へ向けて光を反射する反射部材を複数配置すると、観察光学系の構成が複雑になり易い。また、観察光学系の光路長が長くなり、術者が患者眼を観察し難くなる可能性がある。一方、観察光学系に配置した１つの反射部材で複数種類の光を反射させる場合、１つの反射領域で複数種類の波長の光を反射するコーティング処理を行う態様が考えられる。しかし、このような態様だと、コーティング処理の光学特性（分光特性）が複雑になる可能性がある。
【０００５】
本開示は、患者眼の患部を好適に観察して、患者眼の患部を好適に治療できる眼科用レーザ治療装置を提供することを技術課題とする。
【課題を解決するための手段】
【０００６】
上記課題を解決するために、本発明は以下のような構成を備えることを特徴とする。
【０００７】
（１）  患者眼の患部を観察する観察光学系と、観察光学系に設けられ、第１波長レーザ光を反射する第１反射領域を有する第１反射面と、観察光学系に設けられ、第２波長レーザ光を反射する第２反射領域を有する第２反射面と、を備え、観察光学系の観察光軸と直交する方向からみた場合に，第１反射面と第２反射面との少なくとも一部が重なっており、第１反射面と第２反射面とを観察光学系の観察光が透過する。
【発明の効果】
【０００８】
本開示によれば、患者眼の患部を好適に観察して、患者眼の患部を好適に治療できる眼科用レーザ治療装置を提供することができる。
【図面の簡単な説明】
【０００９】
【図１】本開示の眼科用レーザ治療装置の外観図である。
【図２】図１の眼科用レーザ治療装置の光学系を側方からみた図である。
【図３】図１の眼科用レーザ治療装置の光学系を上方からみた図である。
【図４】図１の眼科用レーザ治療装置の制御系の構成を示す図である。
【図５】第１実施形態の眼科用レーザ治療装置に用いるダイクロイックミラーの、（ａ）第１反射面の図であり、（ｂ）第２反射面の図である。
【図６】図５のダイクロイックミラーに形成される、（ａ）第１反射領域の分光反射特性を説明する図であり、（ｂ）第２反射領域の分光反射特性を説明する図である。
【図７】第１実施形態の眼科用レーザ治療装置のダイクロイックミラーを、（ａ）側方からみた簡略図であり、（ｂ）図２のＢ方向からみた図である。
【図８】第１実施形態の眼科用レーザ治療装置のダイクロイックミラーを、（ａ）側方からみた簡略図であり、（ｂ）図２のＣ方向からみた図である。
【図９】観察光が透過する方向における、ダイクロイックミラーの分光透過特性を説明する図である。
【図１０】比較用の分光反射特性の図である。
【図１１】比較用の合成手段の図である。
【図１２】比較用の分光透過特性の図である。
【図１３】第１実施形態の合成手段の、変容例の図である。
【図１４】第２実施形態の眼科用レーザ治療装置に用いるダイクロイックミラーの、（ａ）反射面（第１面）の図であり、（ｂ）光学面（第２面）の図である。
【図１５】第２実施形態の眼科用レーザ治療装置のダイクロイックミラーを、（ａ）側方からみた簡略図であり、（ｂ）図１のＢ方向からみた図である。
【発明を実施するための形態】
【００１０】
以下、本開示における典型的な実施形態について、図面を参照して説明する。
【００１１】
＜第１実施形態＞
図１は第１実施形態の眼科用レーザ治療装置１Ａの外観図である。図２は、図１の眼科用レーザ治療装置１Ａの光学系を側方（図１だと左側）からみた図である。図３は、図１の眼科用レーザ治療装置１Ａの光学系を上方からみた図である。図４は図１の眼科用レーザ治療装置１Ａの制御系の構成を説明する図である。
【００１２】
＜全体構成＞
第１実施形態の眼科用レーザ治療装置１Ａは、一例として、スリットデリバリ部２、およびテーブル部３を備える。スリットデリバリ部２は、患者眼Ｅｐの患部を治療するための治療レーザ光を照射する。第１実施形態の眼科用レーザ治療装置１Ａは、治療レーザ光として、第１波長レーザ光および第２波長レーザ光を射出する。また、第１実施形態の眼科用レーザ治療装置１Ａは、一例として、照射光学系１０、観察光学系３０、照明光学系４０、および制御部１１０を備える。第１実施形態の眼科用レーザ治療装置１Ａが備える各種光学系、および治療レーザ光については、後ほど詳細に説明する。
【００１３】
第１実施形態のテーブル部３は、スリットデリバリ部２を載置する。第１実施形態のスリットデリバリ部２は、一例として、本体部１０１、照明部１０２、顕微鏡部１０３、接眼部１０４、変位部１０７、操作パネル部１０５、ジョイスティック部１０６、およびヘッドレスト部１０８を備える。第１実施形態の本体部１０１は、第１波長レーザ光および第２波長レーザ光を生成する。第１実施形態の照明部１０２は、患者眼Ｅｐの観察部位を観察するための照明光を射出する。第１実施形態の顕微鏡部１０３は、患者眼Ｅｐの観察部位の観察像を得る。第１実施形態の顕微鏡部１０３は、術者に観察像を提供する接眼部１０４を有する。なお、スリットデリバリ部２の外部に第１波長レーザ光の生成手段と、第２波長レーザ光の生成手段との少なくともいずれか配置してもよい。この場合、例えば、光ファイバーケーブルを用いて、スリットデリバリ部２の光学系にレーザ光を接続してもよい。
【００１４】
第１実施形態の変位部１０７は、眼科用レーザ治療装置１Ａが備える光学系を、上下／左右／前後方向に移動する。また、第１実施形態の変位部１０７は、照射光学系１０および観察光学系３０を左右方向に回動する。第１実施形態の操作パネル部１０５は、術者が眼科用レーザ治療装置１Ａの各種動作条件を設定するために用いられる。第１実施形態のジョイスティック部１０６は、術者が患者眼Ｅｐに対する各種光学系の位置合わせを行うために用いられる。第１実施形態のヘッドレスト部１０８は、患者の顔を固定するために用いられる。
【００１５】
＜照明光学系＞
図２，図３を用いて、第１実施形態の照明光学系４０を説明する。照明光学系４０は、患者眼Ｅｐの観察部位に観察光を照明する。第１実施形態では、患者眼Ｅｐの観察部位に可視光を照明する。照明光学系４０は、一例として、ランプ４１、レンズ４２、絞り４３、レンズ群４４、およびプリズム４５を備える。例えば、ランプ４１に、白熱電球、発光ダイオード等を用いてもよい。照明光学系４０が、観察部位をスリット光で照明するためのスリット板等を備えてもよい。
【００１６】
＜観察光学系＞
第１実施形態の観察光学系３０は、術者が患者眼Ｅｐの観察部位を観察するために用いられる。第１実施形態では、患者眼Ｅｐの観察部位を２つの方向（複数方向）から観察する。これによって、例えば、術者は、観察部位を立体視できる。第１実施形態の観察光学系３０は、術者の右眼に観察像を提供する光軸Ｌ３Ｒと、術者の左眼に観察像を提供する光軸Ｌ３Ｌを有する。つまり、第１実施形態の観察光学系３０は、互いが分離する２つの観察光束を含む。なお、以降の説明では、光軸Ｌ３Ｒと光軸Ｌ３Ｌとをまとめて光軸Ｌ３と称する場合がある。なお、観察光学系３０が、光軸Ｌ３Ｒ、または光軸Ｌ３Ｌのいずれか１方のみ（つまり単眼の観察光学系）であってもよい。
【００１７】
本開示においては、術者に提供する観察像を形成する光を、観察光と呼ぶ場合がある。また、観察像を生成するために用いる光、つまり、第１実施形態では視野絞り３５（３５Ｒ，３５Ｌ）を通過する光を観察光と呼ぶ。例えば、撮像素子の出力信号を用いて術者に観察像を提供する場合には、撮像素子が受光する光を、観察光と呼ぶ。
【００１８】
第１実施形態の観察光学系３０は、対物レンズ２３、ダイクロイックミラー２２、変倍光学系３１（３１Ｒ，３１Ｌ）、術者保護フィルタ３２（３２Ｒ，３２Ｌ）、結像レンズ３３（３３Ｒ，３３Ｌ）、正立プリズム群３４（３４Ｒ，３４Ｌ）、視野絞り３５（３５Ｒ，３５Ｌ）、および接眼レンズ３６（３６Ｒ，３６Ｌ）を備える。
【００１９】
第１実施形態では、対物レンズ２３およびダイクロイックミラー２２を、観察光学系３０と照射光学系１０とで共用する。つまり、第１実施形態のダイクロイックミラー２２は、観察光学系３０と照射光学系１０とを合成する合成手段２９Ａとなる。第１実施形態のダイクロイックミラー２２は、患者眼Ｅｐからの観察光（可視光）を透過し、且つ、第１波長レーザ光（赤外光）および第２波長レーザ光（可視光）を患者眼Ｅｐへ向けて反射する。ダイクロイックミラー２２の詳細な説明は後述する。
【００２０】
変倍光学系３１は、観察倍率を変更するために用いられる。例えば、屈折力の異なる複数のレンズが組み合わされた回転ドラム等を変倍光学系３１に用いることができる。術者保護フィルタ３２は、患者眼Ｅｐ等で反射した治療レーザ光が術者眼Ｅｏに到達することを抑制する。第１実施形態の術者保護フィルタ３２は、治療レーザ光の波長を減衰する特性を有する。なお、第１実施形態では、術者は接眼部１０４を覗いて観察部位を観察するが、術者の観察方法はこれに限るものではない。例えば、観察光学系３０に撮像素子を配置して、撮像素子が撮像した観察像を表示画面１１５（表示手段）等に表示してもよい。また、赤外波長の観察光を撮像素子等で撮像して、術者に観察像を提供してもよい。なお、本開示の観察光学系３０は、合成手段２９Ａによって簡素な観察光学系３０とされているため、観察光学系３０に前述した撮像素子等を配置し易い。
【００２１】
＜照射光学系＞
第１実施形態の照射光学系１０は、患者眼Ｅｐへ治療レーザ光を照射するために用いられる。第１実施形態の眼科用レーザ治療装置１Ａは、複数種類の治療レーザ光を照射する。詳細には、第１実施形態の眼科用レーザ治療装置１Ａは、波長が異なる複数種類の治療レーザ光として、赤外波長帯域の第１波長レーザ光、および可視波長帯域の第２波長レーザ光を照射する。第１波長レーザ光は、例えば、後発白内障の治療に用いられる。第１波長レーザ光を用いて、患者眼Ｅｐの組織を光破壊または光破裂できる。本実施形態の第１波長レーザ光は、第１波長レーザ光の集光位置の近辺でプラズマを発生する。第２波長レーザ光は、例えば、選択的レーザ線維柱帯形成術（Ｓｅｌｅｃｔｉｖｅ  Ｌａｓｅｒ  Ｔｒａｂｅｃｕｌｏｐｌａｓｔｙ：ＳＬＴ）で用いられる。第２波長レーザ光を用いて患者眼Ｅｐの組織を光加熱できる。第１実施形態では、第１波長レーザ光として１０６４ｎｍの光を照射し、第２波長レーザ光として５３２ｎｍの光を照射する。治療レーザ光の波長および種類は、これに限るものでは無い。例えば、第１波長レーザ光と第２波長レーザ光とが共に患者眼Ｅｐの組織を光凝固できてもよい。
【００２２】
第１実施形態の照射光学系１０は、第１照射光学系１０Ａおよび第２照射光学系１０Ｂを含む。第１照射光学系１０Ａは、患者眼Ｅｐに第１波長レーザ光を照射するために用いられる。第１照射光学系１０Ａは光軸Ｌ１を含む。第２照射光学系１０Ｂは、患者眼Ｅｐに第２波長レーザ光を照射するために用いられる。第２照射光学系１０Ｂは光軸Ｌ２を含む。なお、第１照射光学系１０Ａと第２照射光学系１０Ｂとで少なくとも一部を共用する光路を共有光路と呼んでもよい。また、第１照射光学系１０Ａのみで使用される光路、もしくは第２照射光学系１０Ｂのみで使用される光路を専用光路と呼んでもよい。
【００２３】
＜第１照射光学系＞
第１実施形態の第１照射光学系１０Ａは、レーザ光源１１、第１エネルギー調節部１２、ビームスプリッタ１４、ミラー１５、安全シャッタ１６、フォーカスシフトレンズ群１７、ダイクロイックミラー１８、安全シャッタ１９、エキスパンダレンズ群２１、ダイクロイックミラー２２、および対物レンズ２３を備える。第１実施形態の照射光学系１０は、対物レンズ２３およびダイクロイックミラー２２を、観察光学系３０と共用する。また、第１実施形態では、レーザ光源１１からビームスプリッタ１４までの部材、および安全シャッタ１９から対物レンズ２３までの部材を、第１照射光学系１０Ａと第２照射光学系１０Ｂとで共用する。つまり、第１実施形態の眼科用レーザ治療装置１Ａは、第１波長レーザ光と第２波長レーザ光とが同軸（もしくは略同軸）となって、ダイクロイックミラー２２（合成手段２９Ａ）に進む。なお、第２照射光学系１０Ｂの詳細な説明は後述する。第１実施形態の第１照射光学系１０Ａは、ダイクロイックミラー１８で分岐した分岐光路に、第１エイミング光源７１、コリメータレンズ７２、および絞り７３を備える。
【００２４】
レーザ光源１１は、第１波長レーザ光を出射する。第１実施形態のレーザ光源１１では、ネオジウムをドープしたＹＡＧ（イットリウム・アルミニウム・ガーネット）結晶（Ｎｄ：ＹＡＧ）がレーザロッドとして使用される。第１実施形態のレーザ光源１１は、パルスレーザを射出できる。第１実施形態のレーザ光源１１は、ジャイアントパルス（エネルギーの高いレーザ光）を射出できる。第１本実施形態のレーザ光源１１は、ＱスイッチＹＡＧレーザである。第１本実施形態のレーザ光源１１は、Ｑスイッチ素子を含むレーザ光源である。つまり、Ｑスイッチ法を用いてレーザ光源１１から高出力パルスを射出できる。第１エイミング光源７１は、第１波長レーザ光が照射される位置（つまり、治療スポットの位置）を示すエイミング光を出射する。第１実施形態では、波長が６３５ｎｍ（赤色）の可視レーザ光を出射する光源が、第１エイミング光源７１として用いられる。しかし、エイミング光の波長等を適宜変更できるのは言うまでも無い。
【００２５】
第１エネルギー調節部１２は、患者眼Ｅｐの組織に照射される治療レーザ光（第１実施形態では第１波長レーザ光または第２波長レーザ光）のエネルギー量を調整する。つまり、第１エネルギー調節部１２は、第１波長レーザ光のエネルギーを調節する調節手段（第１調節手段）である。第１実施形態では、第１エネルギー調節部１２を、第１波長レーザ光の光量を減光する減光手段（第１減光手段）として用いる。第１実施形態の第１エネルギー調節部１２は、１／２波長板１２Ａおよび偏光板１２Ｂを含む。１／２波長板１２Ａは、レーザ光源１１の射出光軸（換言するなら第１照射光学系１０Ａの光軸Ｌ１、もしくは第２照射光学系１０Ｂの光軸Ｌ２）を中心として、モータ８１によって回転する。偏光板１２Ｂは、ブリュースタ角で配置されている。第１実施形態では、１／２波長板１２Ａと偏光板１２Ｂとの組合せによって、第１波長レーザ光のエネルギーが調整される。詳細には、制御部１１０が１／２波長板１２Ａを任意の角度に回転させることで、第１エネルギー調節部１２から出力される第１波長レーザ光のエネルギーを、任意の値へと調節できる。
【００２６】
ビームスプリッタ１４は、第１波長レーザ光の一部を光検出器８２へ向けて反射させる。光検出器８２は、ビームスプリッタ１４によって反射された第１波長レーザ光を受光することで、第１波長レーザ光のエネルギー量を検出する。安全シャッタ１６は、シャッタ駆動部８３（例えばソレノイド）によって、光軸Ｌ１上と光軸Ｌ１外との間を移動する。安全シャッタ１６は、光軸Ｌ１上に配置されることで、患者眼Ｅｐへの第１波長レーザ光の照射を遮断する。
【００２７】
フォーカスシフトレンズ群１７は、第１エイミング光源７１を発した第１エイミング光のフォーカス位置（集光位置）に対して、レーザ光源１１を発した第１波長レーザ光のフォーカス位置を変位（シフト）させる。第１実施形態では、第１エイミング光のフォーカス位置に対して、レーザ光源１１を発した第１波長レーザ光のフォーカス位置を、遠方または近方のいずれかに変位可能である。エイミング光のフォーカス位置に対する治療レーザ光のフォーカス位置を、フォーカスシフト位置と呼ぶ場合がある。つまり、第１実施形態の第１照射光学系１０Ａは、フォーカスシフト手段を備える。フォーカスシフトレンズ群１７は、凹レンズ、および凸レンズを備える。フォーカスシフトレンズ群１７には、フォーカスシフト位置のシフトを駆動するモータ８４（駆動手段）を用いている。第１実施形態では、凸レンズにモータ８４が接続されている。後述する制御部１１０は、フォーカスシフト位置を調節可能である。第１実施形態では、制御部１１０は、凸レンズを光軸方向に移動させて、フォーカスシフト位置を−５００μｍ〜＋５００μｍの範囲で調節可能である。
【００２８】
コリメータレンズ７２は、第１エイミング光源７１から出射された第１エイミング光を平行光束とする。絞り７３には２つの孔が形成されている。コリメータレンズ７２を通過する光束は、絞り７３によって、光束が２つに分離した状態でダイクロイックミラー１８へ向かう。ダイクロイックミラー１８は、第１波長レーザ光と第１エイミング光を合波する。第１実施形態のダイクロイックミラー１８は、第１波長レーザ光を反射し、且つ第１エイミング光を透過させることで、第１波長レーザ光と第１エイミング光を合波する。なお、眼科用レーザ治療装置１Ａは、第１波長レーザ光と第１エイミング光を合波せずに、別々の光路から患者眼Ｅｐに照射してもよい。
【００２９】
安全シャッタ１９は、シャッタ駆動部８５（例えばソレノイド）によって、光軸Ｌ１上と光軸Ｌ１外との間を移動する。安全シャッタ１９は、光軸Ｌ１上に配置されることで、患者眼Ｅｐへのレーザ光（第１実施形態では、第１波長レーザ光、第２波長レーザ光、第１エイミング光、または第２エイミング光の少なくともいずれか）の照射を遮断する。
【００３０】
エキスパンダレンズ群２１は、ダイクロイックミラー１８によって合波されたレーザ光（第１実施形態では、第１波長レーザ光、第２波長レーザ光、第１エイミング光、または第２エイミング光の少なくともいずれか）の光束を拡大する。エキスパンダレンズ群２１によって拡大されたレーザ光は、ダイクロイックミラー２２によって反射され、対物レンズ２３を透過する。第１実施形態では、対物レンズ２３を透過した第１波長レーザ光は、患者眼Ｅｐに装着されたコンタクトレンズ２４を介して患者眼Ｅｐの組織に照射される。ダイクロイックミラー２２は、患者眼Ｅｐによって反射された第１波長レーザ光の反射光が術者眼Ｅｏに入射し難くなるように、反射光の波長の光をほぼ反射させる。組織に照射されるレーザ光のスポットサイズを調整するための構成等が、照射光学系１０に設けられていてもよい。
【００３１】
＜第２照射光学系＞
第１実施形態の第２照射光学系１０Ｂは、レーザ光源１１、第１エネルギー調節部１２、ビームスプリッタ１４、可動ミラー６１、波長変換器６２、第２エネルギー調節部６８、ビームスプリッタ６５、ダイクロイックミラー６６、可動ミラー６７、安全シャッタ１９、エキスパンダレンズ群２１、ダイクロイックミラー２２、および対物レンズ２３を備える。前述したように、第１実施形態では、レーザ光源１１からビームスプリッタ１４までの部材、および安全シャッタ１９から対物レンズ２３までの部材を、第１照射光学系１０Ａと第２照射光学系１０Ｂとで共用する。これによって、眼科用レーザ治療装置１Ａの構成を簡素にできる。
【００３２】
また、光軸Ｌ１と光軸Ｌ２とが同軸（もしくは略同軸）となって合成手段２９Ａ（ダイクロイックミラー２２）に進むため、合成手段２９Ａを簡素な構成にできる。例えば、合成手段２９Ａの全長（距離ＬＢａ：図２等参照）を抑制できる。第１実施形態の第２照射光学系１０Ｂは、対物レンズ２３およびダイクロイックミラー２２を観察光学系３０と共用する。よって、眼科用レーザ治療装置１Ａの光学系を簡素な構成にできる。例えば、顕微鏡部１０３を小型化できる。以降では、共用する部材の説明を省略する。なお、光軸Ｌ１と光軸Ｌ２とが完全に一致しなくてもよい。例えば、第１波長レーザ光と第２波長レーザ光とが共通の光学部材を介してダイクロイックミラー２２に入射すればよい。第１実施形態では、第１波長レーザ光および第２波長レーザ光は、エキスパンダレンズ群２１を介してダイクロイックミラー２２に入射する。
【００３３】
第２照射光学系１０Ｂの光の流れを簡単に説明する。レーザ光源１１から射出された第１波長レーザ光は、第１エネルギー調節部１２、ビームスプリッタ１４の順で進み、光軸Ｌ１上に挿入された可動ミラー６１によって、波長変換器６２に向けて反射される。つまり、波長変換器６２は、第１照射光学系１０Ａの光路から分岐した光路に設けられている。可動ミラー６１で反射された第１波長レーザ光は、波長変換器６２で第２波長レーザ光に変換される。波長変換器６２から射出される第２波長レーザ光は、第２エネルギー調節部６８、ビームスプリッタ６５、ダイクロイックミラー６６の順で進み、光軸Ｌ１上に挿入された可動ミラー６７で安全シャッタ１９に向けて反射される。可動ミラー６７で反射された第２波長レーザ光は、安全シャッタ１９、エキスパンダレンズ群２１の順で進み、ダイクロイックミラー２２で対物レンズ２３に向けて反射される。ダイクロイックミラー２２で反射されて、対物レンズ２３を透過した第２波長レーザ光は、患者眼Ｅｐに装着されたコンタクトレンズを介して患者眼Ｅｐの組織に照射される。
【００３４】
可動ミラー６１は、ミラー駆動部９１（例えばソレノイド）によって、光軸Ｌ１上と光軸Ｌ１外との間を移動する。ミラー駆動部９１は制御部１１０に接続されている。第１実施形態では、患者眼Ｅｐに第１波長レーザ光を照射する場合、制御部１１０は、可動ミラー６１を光軸Ｌ１上から退避する。患者眼Ｅｐに第２波長レーザ光を照射する場合、制御部１１０は、可動ミラー６１を光軸Ｌ１上に移動する。可動ミラー６１で反射した第１波長レーザ光は波長変換器６２に入射する。制御部１１０は、患者眼Ｅｐへ第１波長レーザ光を照射する際は、可動ミラー６１および可動ミラー６７を光軸Ｌ１上から退避する。
【００３５】
第１実施形態の波長変換器６２は、レーザ光源１１によって出射された第１波長レーザ光（波長：１０６４ｎｍ）を、第２波長レーザ光（波長：５３２ｎｍ）に変換する。つまり、第１実施形態の波長変換器６２は、波長変換手段である。第２エネルギー調節部６８は、患者眼Ｅｐの組織に照射される第２波長レーザ光のエネルギー量を調整する。つまり、第２エネルギー調節部６８は、第２波長レーザ光のエネルギーを調節する調節手段（第２調節手段）である。第１実施形態では、第２エネルギー調節部６８を、第２波長レーザ光の光量を減光する減光手段（第２減光手段）として用いる。第１実施形態では、第１エネルギー調節部１２と第２エネルギー調節部６８との少なくともいずれかを用いて、第２波長レーザ光のエネルギーを調節する。
【００３６】
第１実施形態の第２エネルギー調節部６８は、１／２波長板６３Ａおよび偏光板６４を含む。第１実施形態の１／２波長板６３Ａは、モータ９２（減光部材の駆動手段）によって、第２照射光学系１０Ｂの光軸Ｌ２上と光軸Ｌ２外との間を移動する、または、光軸Ｌ２を中心として回転させる。これによって、１／２波長板６３Ａに入射した第２波長レーザ光の偏光方向が回転される。１／２波長板６３Ａと偏光板６４の組合せによって、第２波長レーザ光のエネルギーが減光（減衰）される。換言するなら、１／２波長板６３Ａと偏光板６４の組合せによって、第２波長レーザ光のエネルギーが調整される。
【００３７】
ビームスプリッタ６５は、第２波長レーザ光の一部を光検出器９３へ向けて反射させる。光検出器９３は、ビームスプリッタ６５によって反射された第２波長レーザ光を受光することで、第２波長レーザ光のエネルギー量を検出する。第２エイミング光源９４は、第２波長レーザ光を患者眼Ｅｐの患部に照射するための位置合わせ用の光源として用いられる。第１実施形態では、波長が６３５ｎｍ（赤色）の可視レーザ光を出射する光源が、第２エイミング光源９４として用いられる。しかし、エイミング光の波長等を適宜変更できるのは言うまでも無い。第２エイミング光源９４から射出された第２エイミング光は、ダイクロイックミラー６６に向かう。
【００３８】
ダイクロイックミラー６６は、第２波長レーザ光と第２エイミング光を合波する。第１実施形態のダイクロイックミラー６６は、第２エイミング光を反射し、且つ第２波長レーザ光を透過させることで、第２波長レーザ光と第２エイミング光を合波する。なお、眼科用レーザ治療装置１Ａは、第２波長レーザ光と第２エイミング光を合波せずに、別々の光路から患者眼Ｅｐに照射してもよい。
【００３９】
可動ミラー６７は、ミラー駆動部９５（例えばソレノイド）によって、光軸Ｌ１上と光軸Ｌ１外との間を移動する。ミラー駆動部９５は制御部１１０に接続されている。患者眼Ｅｐに第１波長レーザ光を照射する場合、制御部１１０は、可動ミラー６７を光軸Ｌ１上から退避する。患者眼Ｅｐに第２波長レーザ光を照射する場合、制御部１１０は、可動ミラー６７を光軸Ｌ１上に移動する。可動ミラー６７で反射した第２波長レーザ光は安全シャッタ１９に向かう。安全シャッタ１９以降は第１照射光学系１０Ａと共通の光路を進むため、説明を省略する。なお、第１実施形態では、ダイクロイックミラー２２に入射する第２波長レーザ光の光束径は、第１波長レーザ光の光束径よりも小さい（図７，８等を参照）。なぜなら、第１実施形態では、第１波長レーザ光を用いる場合と、第２波長レーザ光を用いる場合とで、治療方法が異なるからである。詳細には、第１実施形態の眼科用レーザ治療装置１Ａは、第１波長レーザ光を照射して患部でプラズマを発生させるが、第２波長レーザ光を照射する場合は、患部でプラズマを発生させない。
【００４０】
ここで、第１実施形態の第２波長レーザ光を用いた治療の一例として、選択的レーザ線維柱帯形成術（Ｓｅｌｅｃｔｉｖｅ  Ｌａｓｅｒ  Ｔｒａｂｅｃｕｌｏｐｌａｓｔｙ：ＳＬＴ）を行う場合を説明する。ＳＬＴとは、患者眼Ｅｐの房水の排出量を増加させるために、患者眼Ｅｐの隅角の線維柱帯に治療レーザ光を照射する治療方法である。ＳＬＴでは、環状の線維柱帯の全周または一部に渡って治療レーザ光が複数回照射される。ＳＬＴでは、患者眼Ｅｐの角膜にコンタクトレンズが装着される。コンタクトレンズには、一例として、患者眼Ｅｐの隅角を観察するための隅角鏡（ゴニオスコープ）、ゴールドマンの三面鏡を用いることができる。隅角は、コンタクトレンズに設けられている反射ミラーを介して観察される。術者は、コンタクトレンズの位置を調整しながら、第２エイミング光源９４を発したエイミング光の照射位置を、治療するスポットに合わせる。術者は、位置合わせが完了した状態でトリガスイッチ１１６を操作することで、スポットに第２波長レーザ光を照射させる。
【００４１】
＜合成手段＞
図２，３，５，６等を用いて、第１実施形態の合成手段２９Ａ（ダイクロイックミラー２２）を詳細に説明する。第１実施形態の合成手段２９Ａは、複数の光学面を有する。第１実施形態の合成手段２９Ａは、両面に光学面が形成されたプレート型の光学部材である。ダイクロイックミラー２２の素材（基材）をガラスとしてもよい。第１実施形態では、板状の光学部材の両面に配置された光学面のうち、一方の光学面が第１反射面２２Ａとなり、他方の光学面が第２反射面２２Ｂとなる。第１実施形態では、第１反射面２２Ａと第２反射面２２Ｂとが平面であるが、第１反射面２２Ａと第２反射面２２Ｂとの少なくともいずれかが曲面であってもよい。第１実施形態では、第１反射面２２Ａで第１波長レーザ光を反射して、第２反射面２２Ｂで第２波長レーザ光を反射する。
【００４２】
第１実施形態の第１反射面２２Ａおよび第２反射面２２Ｂは、観察光学系３０の光軸Ｌ３Ｒ（光軸Ｌ３Ｌ）に対して同じ方向（第１実施形態では患者眼Ｅｐ側）に傾斜している。詳細には、第１実施形態の第１反射面Ａおよび第２反射面２２Ｂは、観察光学系３０の光軸Ｌ３を側方（図２のＸ方向）からみて、光軸Ｌ３（光軸Ｌ３Ｒ，光軸Ｌ３Ｌ）に対して患者眼側に４５°傾斜している。つまり、第１反射面２２Ａと第２反射面２２Ｂとは平行である。第１実施形態では、患者眼Ｅｐ側からみると、第２反射面２２Ｂよりも第１反射面２２Ａの方が患者眼Ｅｐに近い。第１実施形態では、第１反射面２２Ａと第２反射面２２Ｂとを観察光学系３０の観察光が透過する（図２，図３等を参照）。
【００４３】
＜合成手段の第１反射面＞
第１実施形態の第１反射面２２Ａには、第１エイミング光、第２エイミング光、および第１波長レーザ光を反射する第１反射領域Ｐ１が形成されている（図５（ａ）参照）。第１実施形態では、第１反射面２２Ａ全体に第１反射領域Ｐ１が形成されている。第１実施形態では、光学面の表面にコーティング処理が行われて、第１反射領域Ｐ１が形成されている。第１実施形態では、光学面の表面に、ダイクロイックミラーコートが形成されている。第１実施形態では、第１反射領域Ｐ１を観察光が透過する（図７（ｂ）参照）。なお、図７（ｂ）では、視野絞り３５を通過する観察光の光束を光束ＯＢＳ（ＯＢＳｒ，ＯＢＳｌ）で示し、第１波長レーザ光の光束を領域ＬＳＲ１で示している。また、第１実施形態では、第１反射領域Ｐ１を第２波長レーザ光が透過する（図７（ｂ）参照）。つまり、第２波長レーザ光は、第１反射領域Ｐ１を通過した後に第２反射領域で反射する。なお、第１反射面２２Ａの一部の領域に第１反射領域Ｐ１が形成されていてもよい。図２において反射面２２ＡをＡ方向からみた際には、第１反射領域Ｐ１の面積が、第１反射面２２Ａに入射する第１波長レーザ光の光束径以上であることが好ましい。これによって、合成手段２９Ａへ入射する第１波長レーザ光のエネルギーが、合成手段２９Ａで減衰してしまう事象を抑制できる。
【００４４】
第１実施形態の第１反射領域Ｐ１は、第１エイミング光、第２エイミング光、および第１波長レーザ光を反射して、他の波長（波長帯）を透過する反射特性を有する。図６（ａ）は、第１実施形態の第１反射面２２Ａの分光反射特性を示す図である。図６（ａ）は、第１反射面２２Ａに対して４５°で入射する光の反射特性である。図２の態様で設置された第１実施形態の第１反射領域Ｐ１は、入射する第１波長レーザ光を９８％以上反射して、入射するエイミング光を３０％反射する。詳細には、図６（ａ）において、箇所Ｒ１で示した反射特性箇所で第１波長レーザ光（波長１０６４ｎｍ）を反射する。また、同図の箇所Ｒ３で示した反射特性箇所でエイミング光（波長６３５ｎｍ）を反射する。
【００４５】
なお、第１波長レーザ光の反射率に対してエイミング光の反射率が低いのは、観察部位に照射したエイミング光を術者が観察するためである。つまり、術者は、患者眼Ｅｐの観察部位で反射した後、合成手段２９Ａを透過したエイミング光を、観察光学系３０を用いて観察できる。本実施形態の第１反射領域Ｐ１の反射特性は、エイミング光の波長に対応した波長の反射率が低い。詳細には、第１実施形態の第１反射領域Ｐ１は、エイミング光を７０％透過する。なお、合成手段２９Ａがエイミング光を反射しなくてもよい。例えば、ダイクロイックミラー２２を介さずに患者眼Ｅｐの観察部位にエイミング光を照射してもよい。
【００４６】
＜合成手段の第２反射面＞
第１実施形態の第２反射面２２Ｂには、第２波長レーザ光を反射する第２反射領域Ｐ２が形成されている（図５（ｂ）参照）。第１実施形態では、第２反射面２２Ｂの一部の領域に第２反射領域Ｐ２が形成されている。詳細には、第２反射面２２Ｂには、第２反射面２２Ｂの中心を通る帯状の第２反射領域Ｐ２が形成されている。図２のＣ方向からみると、帯状の第２反射領域Ｐ２はＹ方向に延びる。第２反射領域Ｐ２は、観察光との重畳を低減する形状で形成されている（図８（ｂ）を用いて後述する）。
【００４７】
第１実施形態の第２反射領域Ｐ２は、第２波長レーザ光を反射して、他の波長（波長帯）の光を透過する反射特性を有する。図６（ｂ）は、第１実施形態の第２反射面２２Ｂの分光反射特性を示す図である。図６（ｂ）は、第２反射面２２Ｂに対して４５°で入射する光の反射特性である。図２の態様で設置された第１実施形態の第２反射領域Ｐ２は、入射する第２波長レーザ光を９５％以上反射する。詳細には、図６（ｂ）において、箇所Ｒ２で示した反射特性箇所で第２波長レーザ光（波長５３２ｎｍ）を反射する。第２反射領域Ｐ２が形成されていない第２反射面２２Ｂの領域は、可視光の減衰を抑制した分光透過特性であることが好ましい。これによって、例えば、観察像が暗くなる事象、観察像に色付きが生じる事象等を抑制できる。第１実施形態では、第２反射領域Ｐ２が形成されていない第２反射面２２Ｂの領域を、観察光が透過する（図８（ｂ）参照）。図８（ｂ）だと、光束ＯＢＳ（ＯＢＳｌ，ＯＢＳｒ）と第２反射領域Ｐ２との重畳が抑制されている。また、第２波長レーザ光の光束に対応する領域ＬＳＲ２は、第２反射領域の領域内（ハッチングした箇所）で反射する。
【００４８】
＜制御部＞
次いで、図４を用いて、第１実施形態の制御部１１０を説明する。制御部１１０は、眼科用レーザ治療装置１Ａの動作を制御する。第１実施形態の制御部１１０は、ＣＰＵ１１１（プロセッサ）、ＲＯＭ１１２、ＲＡＭ１１３、および不揮発性メモリ１１４を備える。ＣＰＵ１１１は、眼科用レーザ治療装置１Ａにおける各部の制御を司る。ＲＯＭ１１２には、各種プログラム、初期値等が記憶されている。ＲＡＭ１１３は、各種情報を一時的に記憶する。不揮発性メモリ１１４は、電源の供給が遮断されても記憶内容を保持できる非一過性の記憶媒体である。例えば、制御部１１０に着脱可能に装着されるＵＳＢメモリ、制御部１１０に内蔵されたフラッシュＲＯＭ等を、不揮発性メモリ１１４として使用してもよい。
【００４９】
第１実施形態では、制御部１１０には、レーザ光源１１、モータ８１、光検出器８２、シャッタ駆動部８３、モータ８４、第１エイミング光源７１、シャッタ駆動部８５、ランプ４１、ミラー駆動部９１、モータ９２、光検出器９３、第２エイミング光源９４、ミラー駆動部９５、操作パネル部１０５、ジョイスティック部１０６、トリガスイッチ１１６、表示画面１１５等が接続されている。第１実施形態の表示画面１１５は、眼科用レーザ治療装置１Ａの各種設定状態を表示する。トリガスイッチ１１６は、術者が治療レーザ光のトリガ信号を発信するために操作する。第１実施形態のトリガスイッチ１１６は、フットスイッチである。トリガスイッチ１１６の態様はフットスイッチに限らない、例えば、ジョイスティック部１０６の頂点にトリガスイッチを設けてもよい。
【００５０】
＜第１実施形態の使用方法＞
次いで、第１実施形態の眼科用レーザ治療装置１Ａを用いた、患部への第１波長レーザ光または第２波長レーザ光の照射を説明する。なお、第１波長レーザ光を照射する患部と第２波長レーザ光を照射する患部とが異なってもよい。眼科用レーザ治療装置１Ａの使用方法は、後述する説明に限るものではない。
【００５１】
はじめに、第１実施形態の眼科用レーザ治療装置１Ａを用いた、第１波長レーザ光による治療の操作を説明する。術者は、次のように操作を行う。まず、操作パネル部１０５を操作して、第１波長レーザ光照射モードを選択する。続けて、眼科用レーザ治療装置１Ａの各種設定を行う。続けて、ヘッドレスト部１０８に患者の顔を固定して、患者眼Ｅｐにコンタクトレンズを当てる。続けて、接眼部１０４を覗いて観察する。続けて、観察像を観察しながらジョイスティック部１０６を操作して、患者眼Ｅｐの患部に第１エイミング光を照準する。続けて、トリガスイッチ１１６を押して第１波長レーザ光（パルスレーザ光）を患者眼Ｅｐの患部に照射する。なお、制御部１１０は、トリガスイッチ１１６が押されたことを検出すると、レーザ光源１１を制御してレーザ光源１１からパルスレーザ光を射出させる。眼科用レーザ治療装置１Ａは、レーザ光源１１（ＱスイッチＹＡＧレーザ）から射出された第１波長レーザ光（パルスレーザ光）を患者眼Ｅｐに照射する。
【００５２】
次いで、第１実施形態の眼科用レーザ治療装置１Ａを用いた、第２波長レーザ光による治療の操作を説明する。術者は、次のように操作を行う。まず、操作パネル部１０５を操作して、第２波長レーザ光照射モードを選択する。続けて、眼科用レーザ治療装置１Ａの各種設定を行う。続けて、ヘッドレスト部１０８に患者の顔を固定して、患者眼Ｅｐにコンタクトレンズを当てる。続けて、接眼部１０４を覗いて観察する。続けて、観察像を観察しながらジョイスティック部１０６を操作して、患者眼Ｅｐの患部に第２エイミング光を照準する。続けて、トリガスイッチ１１６を押して第２波長レーザ光（パルスレーザ光）を照射する。なお、制御部１１０は、トリガスイッチ１１６が押されたことを検出すると、レーザ光源１１を制御してレーザ光源１１からパルスレーザ光を射出させる。眼科用レーザ治療装置１Ａは、レーザ光源１１（ＱスイッチＹＡＧレーザ）から射出される第１波長レーザ光（パルスレーザ光）を、第２波長レーザ光へと波長変換した後に、第２波長レーザ光を患者眼Ｅｐに照射する。
【００５３】
＜合成手段の作用および効果＞
第１実施形態の観察光学系３０の光路長を説明する。第１実施形態との比較用として、図１１の構成の光学系を例示する。図１１は、第１実施形態におけるダイクロイックミラー２２を中心とした概略図に相当する。図１１で示す光学系は、観察光学系３０に第１波長レーザ光および第２波長レーザ光を合成するための合成手段２９Ｃとして、観察光学系３０に２つの反射部材（部材２２２および部材２２３）を配置している。部材２２２は第１反射面２２Ａを有し、部材２２３は第２反射面２２Ｂを有する。図１１に示す比較用の光学系は、観察光学系の光軸（Ｌ３Ｒ，Ｌ３Ｌ）と直交する方向（図１１のＡ方向）からみると、第１反射面２２Ａと第２反射面２２Ｂとが重ならない。合成手段２９Ｃとして、距離ＬＢｂを要する。第１実施形態の合成手段２９Ａの距離ＬＢａ（図２，３参照）と比較用の合成手段２９Ｃの距離ＬＢｂとを比較すると、距離ＬＢａ＜距離ＬＢｂの関係になる。つまり、第１実施形態の眼科用レーザ治療装置１Ａは、観察光学系３０の光路長の増加が好適に抑制されている。これによって、例えば、術者は、観察中にコンタクトレンズを支持し易い。
【００５４】
次いで、合成手段２９Ａにおけるレーザ光と観察光の関係を、図７，図８を用いて詳細に説明する。図７（ｂ）は、ダイクロイックミラー２２をＢ方向（図２，３参照）からみた図である。図７（ｂ）の紙面上下方向が図２のＹ方向になる。図７（ｂ）において領域ＯＢＳｒおよび領域ＯＢＳｌで示す点線の内側の領域を、観察光の光束が透過する。図８（ｂ）は、ダイクロイックミラー２２をＣ方向（図２，３参照）からみた図である。図８（ｂ）の紙面上下方向が図２のＹ方向になる。図８（ｂ）において領域ＯＢＳｒおよび領域ＯＢＳｌで示す点線の内側の領域を、観察光の光束が透過する。つまり、第１波長レーザ光が反射する領域（第１反射領域Ｐ１）を、観察光が透過する。また、図７（ｂ）において領域ＬＳＲ１で示す実線の内側の領域に、第１波長レーザ光の光束が照射される。そして第１波長レーザ光は対物レンズ２３に向けて反射される。図８（ｂ）において領域ＬＳＲ２で示す実線の内側の領域に、第１反射領域Ｐ１を透過した第２波長レーザ光が照射される。そして第２波長レーザ光は対物レンズ２３に向けて反射される（反射した第２波長レーザ光は、再び第１反射領域Ｐ１を透過する）。第１実施形態の眼科用レーザ治療装置１Ａの観察光は、合成手段２９Ａ（ダイクロイックミラー２２）を透過する際に、第１反射領域Ｐ１を透過するが、第２反射領域Ｐ２を避ける。これによって、観察光の減衰が抑制される。よって、例えば、術者は明るさが好適な観察像を観察できる。また、術者は、色付きが抑制された観察像を観察できる。
【００５５】
図９は、合成手段２９Ａの分光透過特性を示す図である。なお、図９は、第１反射領域Ｐ１を透過し、且つ、第２反射領域Ｐ２を透過しない光線に対する合成手段２９Ａの分光透過特性の図である。図９で示す特性図では、一例として、一般的に可視波長帯と呼ばれる４００〜７００ｎｍの波長帯を実線で記している。また、可視波長帯の透過率をハッチングで示している。ここで、図１２を比較用として例示する。図１２は、第１反射領域Ｐ１および第２反射領域Ｐ２を通過する光線に対する、合成手段２９Ａの分光透過特性の図である。図１２では、先に説明した図９と同様に、一例として、一般的に可視波長帯と呼ばれる４００〜７００ｎｍの波長帯を実線で記し、可視波長帯の透過率をハッチングで示している。
【００５６】
図１２から明らかなように、第１反射領域Ｐ１および第２反射領域Ｐ２を透過する光は、第２反射領域Ｐ２の影響を受けて、透過する光が大きく減衰する（例えば図１２の箇所Ｒ２’）。これによって、観察像が暗くなり易い。また、特定の波長（波長帯）の光が大きく減衰するため、観察像に色付きが生じ易い。図１２の透過特性の場合、緑色の波長成分が減衰するため、観察像はマゼンタ色の調子で色付き易い。つまり、観察像の色再現性が低下し易い。一方、第１実施形態の眼科用レーザ治療装置１Ａでは、観察光が第２反射領域Ｐ２を避けるため、観察光の減衰が抑制されている（図９参照）。なお、観察光が第２反射領域Ｐ２を厳密に避けなくてもよい。観察光と第１反射領域Ｐ１とが重なる重畳面積が、観察光と第２反射領域Ｐ２とが重なる重畳面積よりも大きければよい。もしくは、第２反射領域Ｐ２が、観察光の透過領域を考慮して形成されていればよい。
【００５７】
図１０は、比較用として例示する分光反射特性の図である。合成手段として用いる反射面に、図１０で例示する反射特性の反射領域を形成するためには、例えば、精密なコーティング管理を要する可能性がある。これによって、眼科用レーザ治療装置が高価になる可能性がある。また、粗雑なコーティング管理だと、レーザ光を好適な光量で反射できない可能性がある。一方、第１実施形態の合成手段２９Ａに形成される反射領域の反射特性は、図１０で例示した分光反射特性よりも簡素化されている（図６参照）。よって、第１反射領域Ｐ１および第２反射領域Ｐ２の形成が容易である。また、例えば、第１反射領域Ｐ１および第２反射領域Ｐ２を、より精密な波長特性で形成し易い。また、例えば、第１実施形態の合成手段２９Ａは、個体差が生じ難い。また、本実施形態では、第１波長レーザ光と第２波長レーザ光とが同一または略同じ光路で合成手段２９Ａに入射して、合成手段２９Ａで反射される。つまり、第１波長レーザ光の光路と第２波長レーザ光の光路が近い。よって、眼科用レーザ治療装置１Ａの光学系を簡素な構成にできる（比較として図１１参照）。例えば、第１波長レーザ光と第２波長レーザ光とを同軸（もしくは略同軸）にして、合成手段２９Ａに入射できる。例えば、集光精度が良好な治療レーザ光を患者眼Ｅｐに照射できる。第２反射面２２Ｂで第１波長レーザ光を反射させる場合を比較例として考える。この比較例では、第１波長レーザ光は、第１反射面２２Ａを通過する際にコーティング境界面の影響を受けて、ビーム品質の低下、透過率の低下等が生じる可能性がある。また、２回屈折面（２回第１反射面２２Ａ）を通過することで、第１波長レーザ光のビーム品質の低下が考えられる。これらビーム品質の低下によって、第１波長レーザ光を患者眼Ｅｐへ照射した際に、患部でプラズマが発生し難い可能性がある。
【００５８】
＜合成手段の変容例＞
次いで、第１実施形態として例示した合成手段２９Ａ（ダイクロイックミラー２２）の変容例を説明する。図１３は、第１実施形態のダイクロイックミラー２２の代わりに、２枚のミラー（ミラー２６およびミラー２７）を設けた図である。つまり、変容例の合成手段２９Ａは、ミラー２６およびミラー２７を含む。ミラー２６は反射面２６Ａと光学面２６Ｂを含み、ミラー２７は反射面２７Ａと光学面２７Ｂを含む。変容例のミラー２６およびミラー２７は、板状の光学部材である。
【００５９】
ミラー２６およびミラー２７は、観察光学系３０の光軸Ｌ３Ｒ（光軸Ｌ３Ｌ）に対して同じ方向（患者眼Ｅｐ側）に傾斜して配置されている。ミラー２６とミラー２７とは離間している。反射面２６Ａおよび反射面２７Ａは、光学面が平行である。変容例の反射面２６Ａの面積は、第１実施形態の第１反射面２２Ａの面積と同じである。変容例の反射面２７Ａは、第１実施形態の第２反射面２２Ｂと同じ面積である。反射面２６Ａには、ダイクロイックミラー２２の第１反射面２２Ａと同様に、第１反射領域Ｐ１が形成されている。反射面２７Ａには、ダイクロイックミラー２２の第２反射面２２Ｂと同様に、第２反射領域Ｐ２が形成されている。
【００６０】
変容例では、反射面２６Ａで第１波長レーザ光を反射して、反射面２７Ａで第２波長レーザ光を反射する。また、反射面２６Ａおよび反射面２７Ａを観察光が透過する。合成手段２９Ａとして、観察光学系３０に略距離ＬＢａを設けるだけでよい。よって、眼科用レーザ治療装置１Ａの観察光学系３０の光路長（図１〜３の距離ＬＡ参照）の増加を抑制できる。なお、変容例として、２枚の板状の光学部材を用いた場合を例示したが、第１反射面２２Ａと第２反射面２２Ｂの形成態様はこれに限るものではない。例えば、第１反射面２２Ａと第２反射面２２Ｂとの間に固体または液体が介在してもよい。
【００６１】
＜第１実施形態の作用および効果＞
第１実施形態の眼科用レーザ治療装置１Ａは、患者眼Ｅｐの患部を観察する観察光学系３０、観察光学系３０に設けられて第１波長レーザ光を反射する第１反射領域Ｐ１を有する第１反射面２２Ａ、および観察光学系３０に設けられて第２波長レーザ光を反射する第２反射領域Ｐ２を有する第２反射面２２Ｂを備えている。また、観察光学系３０の観察光軸（光軸Ｌ３Ｒ，光軸Ｌ３Ｌ）と直交する方向（例えば図２のＡ方向）からみた場合に，第１反射面２２Ａと第２反射面２２Ｂとの少なくとも一部が重なっており、第１反射面２２Ａと第２反射面２２Ｂとを観察光学系３０の観察光が透過する。
【００６２】
これによって、例えば、観察光学系３０の光路長（図１〜３の距離ＬＡ参照）の増加を抑制できる。術者の顔と患者眼Ｅｐとの距離の増加を抑制できるため、術者は患者眼Ｅｐを好適に観察できる。例えば、術者は、患者眼Ｅｐを観察しながら、コンタクトレンズ２４を支持し易い。また、第１実施形態では、観察光学系３０の構成が簡素でありながらも、波長が異なる複数種類の治療レーザ光を患者眼Ｅｐへ照射できる。観察光学系３０の構成が簡素であることで、例えば、眼科用レーザ治療装置１Ａの製造が容易となる。また、観察光学系３０の観察光軸と直交する方向からみた場合に，第１反射面２２Ａと第２反射面２２Ｂとの少なくとも一部が重なっていることで、例えば、波長が異なる複数種類の治療レーザ光を、観察光学系３０の光路上の１箇所（第１実施形態だとダイクロイックミラー２２の位置）で合流できる。また、合成手段２９Ａ（ダイクロイックミラー２２）には、第１波長レーザ光を反射する第１反射領域Ｐ１と第２波長レーザ光を反射する第２反射領域Ｐ２とが異なる面に形成されている。これによって、第１波長レーザ光と第２波長レーザ光を反射する合成手段２９Ａを容易に製造できる。
【００６３】
また、第１実施形態の眼科用レーザ治療装置１Ａは、第１波長レーザ光を射出するレーザ光源１１と、レーザ光源１１によって射出された第１波長レーザ光を第２波長レーザ光に変換する波長変換手段（波長変換器６２）を備えている。これによって、眼科用レーザ治療装置１Ａは、波長が異なる複数種類の治療レーザ光を簡素な構成で照射できる。例えば、眼科用レーザ治療装置が備えるレーザ光源の数の増加を抑制できる。よって、例えば、眼科用レーザ治療装置１Ａを安価に提供できる。また、眼科用レーザ治療装置１Ａの製造、または設置が容易になる。また、眼科用レーザ治療装置１Ａの大型化を抑制できる。
【００６４】
また、第１実施形態の眼科用レーザ治療装置１Ａの第２波長レーザ光は、第１反射領域Ｐ１を透過した後に第２反射領域Ｐ２で反射する。これによって、例えば、第２反射領域Ｐ２で第２波長レーザ光を反射しつつ、第１反射領域Ｐ１で第１波長レーザ光を効率よく反射できる。例えば、第１波長レーザ光が光学部材の表面または接合面を通過する回数を少なくできる。よって、不要な内面反射を抑制できる。第２波長レーザ光よりも光束径が大きい第１波長レーザ光を、患者眼Ｅｐの患部へ好適に集光できる。例えば、第１波長レーザ光を用いて患部で質の高いプラズマを発生できる。つまり、第１波長レーザ光よりも患部への入射角度が小さい第２波長レーザ光に第１反射領域Ｐ１を透過させることで、第１波長レーザ光と第２波長レーザ光とを好適な集光特性で患者眼Ｅｐに集光できる。
【００６５】
また、第１実施形態の第１反射面２２Ａと第２反射面２２Ｂとは、観察光学系３０の光軸Ｌ３（光軸Ｌ３Ｒ，光軸Ｌ３Ｌ）に対して同じ方向に向けて傾斜している。これによって、例えば、種類が異なる複数種類の治療レーザ光を、同軸にして第１反射面２２Ａまたは第２反射面２２Ｂへ入射し易い。また、観察光学系３０の製造が容易である。
【００６６】
また、第１実施形態の眼科用レーザ治療装置１Ａは、両面に光学面が形成されたプレート型の光学部材を備えている。光学部材の一方の面に第１反射面２２Ａが設けられており、他方の面に前記第２反射面が設けられている。これによって、例えば、眼科用レーザ治療装置１Ａは、簡素な構成で第１反射面２２Ａと第２反射面２２Ｂを備えることができる。第１反射面２２Ａと第２反射面２２Ｂを安価に製造できる。眼科用レーザ治療装置１Ａの組立が容易となる。
【００６７】
また、第１実施形態の眼科用レーザ治療装置１Ａは、第１波長レーザ光は赤外光であり、第２波長レーザ光は可視光である。観察光と第１反射領域Ｐ１とが重なる重畳面積は、観察光と第２反射領域Ｐ２とが重なる重畳面積よりも大きい。これによって、例えば、観察光学系３０で観察光が減光する事象を抑制できる。よって、術者は明るさが好適な観察像を確認できる。また、観察光学系３０で観察像に色付きが生じる事象を抑制できる。換言するなら、観察光学系３０で色再現性または演色性が低下する事象を抑制できる。よって、術者は色調が好適な観察像を観察できる。なお、本開示において、観察光と第２反射領域Ｐ２とが必ず重なる必要はない（つまり重畳面積がゼロであってもよい）ことは、当業者であれば容易に分かるであろう。
【００６８】
また、第１実施形態の眼科用レーザ治療装置１Ａは、第１反射面２２Ａに形成される第１反射領域Ｐ１の面積は、第２反射面２２Ｂに形成される第２反射領域Ｐ２の面積よりも大きい。これによって、例えば、光束径の大きい第１波長レーザ光を第１反射面２２Ａで反射しつつ、術者は画質が好適な観察像を観察できる。例えば、入射角の大きい治療レーザ光を患者眼Ｅｐの患部に照射し易い。一例として、患者眼Ｅｐの患部をプラズマで治療し易い。
【００６９】
また、第１実施形態の眼科用レーザ治療装置１Ａは、分離した複数の観察光が第２反射面２２Ｂ（第２実施形態では反射面２５ａ）を透過して、分離した複数の観察光の光路（透過領域）の間に第２反射領域Ｐ２が形成されている。これによって、例えば、観察光学系３０へ第２反射面２２Ｂを容易に設置できる。また、観察光の光軸Ｌ３に交差する方向の眼科用レーザ治療装置１Ａの面積の増加を抑制できる。また、観察光学系３０へ第２反射面２２Ｂを設けたことで観察像の画質が低下してしまう事象を抑制できる。
【００７０】
また、第１実施形態の眼科用レーザ治療装置１Ａは、第１波長レーザ光と第２波長レーザ光とを同軸にして第１反射面２２Ａまたは第２反射面２２Ｂに入射させて、第２実施形態の眼科用レーザ治療装置１Ａは、第１波長レーザ光と第２波長レーザ光とを同軸にして反射面２５ａに入射させる。これによって、例えば、簡素な構成で観察光学系３０に第１反射面２２Ａと第２反射面２２Ｂ（第２実施形態では反射面２５ａ）を設置できる。また、観察光学系３０と照射光学系１０との接続が容易である。一例として、眼科用レーザ治療装置１Ａの製造が容易になる。
【００７１】
また、第１実施形態の眼科用レーザ治療装置１Ａは、観察光学系３０には対物レンズ２３が含まれ、観察光学系３０には、第１反射面２２Ａおよび第２反射面２２Ｂ（第２実施形態では反射面２５ａ）よりも患者眼Ｅｐ側に対物レンズ２３が配置されている。これによって、例えば、患者眼Ｅｐの前方を簡素な構成にできる。また、患者眼Ｅｐの前方を簡素な構成にしつつ、入射角の大きい治療レーザ光を患者眼Ｅｐの患部に照射し易い。
【００７２】
また、第１実施形態の用いた眼科用レーザ治療装置１Ａは、第１波長レーザ光を用いて患者眼Ｅｐの組織を光破壊または光破裂し、第２波長レーザ光を用いて患者眼Ｅｐの組織を光加熱する。これによって、例えば、眼科用レーザ治療装置１Ａは、簡素な構成でありながら、術者は観察部位を好適に観察でき、複数種類の患部の治療を容易に行える。
【００７３】
＜第２実施形態＞
次いで、図１〜３，図１４，１５を用いて、第２実施形態の眼科用レーザ治療装置１Ｂを説明する。図１４は、第２実施形態の眼科用レーザ治療装置１Ｂ（図１〜３参照）が備える合成手段２９Ｂの光学面の図である。眼科用レーザ治療装置１Ｂの構成は、第１実施形態の眼科用レーザ治療装置１Ａの構成に対して、合成手段２９Ａの部分を合成手段２９Ｂに変更するだけでもよい。また、第２実施形態の眼科用レーザ治療装置１Ｂの使用方法と、第１実施形態の眼科用レーザ治療装置１Ａの使用方法とが同様であってもよい。以降では、第１実施形態の眼科用レーザ治療装置１Ａの合成手段２９Ａの箇所を合成手段２９Ｂに置き換えたものとして、差分のみ説明する。なお、図１〜３では、第１実施形態と第２実施形態の相違箇所を、括弧付きの符号で記している。
【００７４】
＜合成手段＞
図１４，１５を用いて、第２実施形態の合成手段２９Ｂ（ダイクロイックミラー２５）を詳細に説明する。なお、第１実施形態と同じ符号の箇所は、説明を省略する場合がある。第２実施形態の合成手段２９Ｂは、複数の光学面を有する。第２実施形態の合成手段２９Ｂは、両面に光学面が形成されたプレート型の光学部材である。板状の光学部材の両面に配置された光学面のうち、一方の光学面が反射面２５Ａであり、他方の光学面が光学面２５Ｂである。第２実施形態では、第１波長レーザ光および第２波長レーザ光を反射面２５Ａで反射する。なお、第２実施形態のダイクロイックミラー２５の寸法（縦／横／厚さ）は、第１実施形態のダイクロイックミラー２２の寸法と同じである。
【００７５】
第２実施形態の反射面２５Ａは、観察光学系３０の光軸Ｌ３Ｒ（光軸Ｌ３Ｌ）に対して傾斜して配置されている。第１実施形態と同様に、反射面２５Ａは患者眼Ｅｐ側に傾斜している。第２実施形態の反射面２５Ａおよび光学面２５Ｂは、互いの面が平行である。第２実施形態では、反射面２５Ａおよび光学面２５Ｂを観察光学系３０の観察光が透過する（図２，３参照）。なお、第２実施形態では、患者眼Ｅｐ側からみて、手前側に反射面２５Ａが配置され、奥側に光学面２５Ｂが配置される（図２参照）。
【００７６】
第２実施形態の反射面２５Ａには、第１エイミング光、第２エイミング光、および第１波長レーザ光を反射する第１反射領域Ｐ１と、第２波長レーザ光を反射する第２反射領域Ｐ２とが区分けして形成されている（図１４（ａ）参照）。つまり、第２実施形態の反射面２５Ａには、反射特性が異なる複数の反射領域が形成されている。第２実施形態では、光学面の表面に異なるコーティング処理が行われて、第１反射領域Ｐ１および第２反射領域Ｐ２が形成されている。これによって、光学面の表面に、ダイクロイックミラーコートが形成されている。第２実施形態では、第２反射領域Ｐ２の周囲に第１反射領域Ｐ１が形成されている。第２実施形態では、光学面の第２反射領域Ｐ２が形成されていない領域には、第１反射領域Ｐ１が形成されている。
【００７７】
第２実施形態の第１反射領域Ｐ１は、第１実施形態の第１反射領域Ｐ１と同様の反射特性を有している。第２実施形態の第２反射領域Ｐ２は、第１実施形態の第２反射領域Ｐ２と同様の反射特性を有している。第２反射領域Ｐ２を、第１波長レーザ光も反射可能な反射特性にしてもよい。一例として、第２反射領域Ｐ２の反射特性を、図１０で示した反射特性にしてもよい。つまり、第２反射面で第１波長レーザ光と第２波長レーザ光の反射を行う。この場合も、第２反射領域Ｐ２の周囲に第１反射領域Ｐ１が形成されている。このように形成することで、反射面２５Ａに入射する第１波長レーザ光および第２波長レーザ光の光束が反射面２５Ａで損なわれることを抑制して、反射面２５Ａで第１波長レーザ光および第２波長レーザ光を反射できる。第２実施形態では、反射面２５Ａの中心に楕円形状の第２反射領域Ｐ２が形成されている。換言するなら、観察光の光軸Ｌ３Ｒと光軸Ｌ３Ｌとを結ぶ線分上に第２反射領域Ｐ２が形成されている（図１５（ｂ）参照）。
【００７８】
第２実施形態では、反射面２５Ａに形成される第１反射領域Ｐ１の面積は、第２反射領域Ｐ２の面積よりも大きい。また、第１実施形態と同様に、観察光との重畳を低減する形状で第２反射領域Ｐ２が形成されている（図１５（ｂ）参照）。なお、第１反射領域Ｐ１と第２反射領域Ｐ２の形状、または面積は、図１４の態様に限るものではない。一例として、第１反射領域Ｐ１の面積が、第２反射領域Ｐ２の面積よりも小さくてもよい。また、反射面に形成される第１反射領域Ｐ１（または第２反射領域Ｐ２）が分離していてもよい。なお、光学面２５Ｂは、可視光の減衰を抑制した分光透過特性であることが好ましいが、例えば、光学面２５Ｂに不要な内面反射を防ぐ反射防止膜（コート）等が形成されていてもよい。
【００７９】
＜合成手段の作用および効果＞
第１実施形態の眼科用レーザ治療装置１Ａと同様に、第２実施形態の眼科用レーザ治療装置１Ｂは、観察光学系３０の光路長が好適に抑制されている（詳細は第１実施形態の説明を参照されたし）。合成手段２９Ｂ（ダイクロイックミラー２５）におけるレーザ光と観察光の関係を、図１５を用いて説明する。図１５は、ダイクロイックミラー２５をＢ方向（図２，３参照）からみた図である。図１５中の各符号については、第１実施形態の図７，８と同様であるので省略する。また、図１５では、ダイクロイックミラー２５をＣ方向からみた図を省略している。
【００８０】
第２実施形態も第１実施形態と同様に、第１波長レーザ光が反射する領域（第１反射領域Ｐ１）を、観察光が透過する。第１実施形態の第２波長レーザ光は、第１反射領域Ｐ１が形成されている第１反射面２２Ａを透過した後に第２反射面２２Ｂで反射する。一方、第２実施形態の第２波長レーザ光は、合成手段２９Ｂの表面を透過せずに、表面で反射する。これによって、例えば、第１波長レーザ光の光路と第２波長レーザ光の光路とをより近づけることができる。また、レーザ光は合成手段２９Ｂの表面で反射するため、不要な反射等が生じ難い。例えば、光学部材の内部で生じる不要な反射を抑制できる。よって、例えば、治療レーザ光の品質の低下を抑制できる。
【００８１】
第１実施形態と同様に、第２実施形態の眼科用レーザ治療装置１Ｂの観察光は、合成手段２９Ｂ（ダイクロイックミラー２５）を透過する際に、第２反射領域Ｐ２を避ける。これによって、術者が観察に用いる観察光の減衰が抑制される（第１実施形態の説明を参照されたし）。よって、例えば、術者は明るさが好適な観察像を観察できる。また、術者は色付きの抑制された観察像を観察できる。
【００８２】
＜第２実施形態の作用および効果＞
つまり、第２実施形態の合成手段２９Ｂ（反射面２５ａ）を用いた眼科用レーザ治療装置１Ｂは、患者眼Ｅｐの患部を観察する観察光学系３０と、観察光学系３０に設けられて、第１波長レーザ光と第２波長レーザ光とを反射する反射面２５ａと、を備えている。反射面２５ａには、第１波長レーザ光を反射する第１反射領域Ｐ１と第２波長レーザ光を反射する第２反射領域Ｐ２とが区分けして形成されており、反射面２５ａを観察光学系３０の観察光が透過する。
【００８３】
これによって、一例として、観察光学系３０の光路長の増加を抑制できる。術者の顔と患者眼Ｅｐとの距離の増加を抑制できるため、術者は患者眼Ｅｐを好適に観察できる。術者は、患者眼Ｅｐを観察しながら、患者眼Ｅｐに接触させるコンタクトレンズ２４を手で支持し易い。また、簡素な観察光学系３０の構成で、波長が異なる複数種類の治療レーザ光を好適に反射できる。よって、眼科用レーザ治療装置１Ｂの製造、または設置が容易になる。例えば、波長が異なる複数種類の治療レーザ光を、１箇所で観察光学系３０へ合流できる。
【００８４】
また、第２実施形態の眼科用レーザ治療装置１Ｂは、第１波長レーザ光を射出するレーザ光源１１と、レーザ光源１１によって射出された第１波長レーザ光を第２波長レーザ光に変換する波長変換手段（波長変換器６２）を備えている。これによって、簡素な構成で、眼科用レーザ治療装置１Ａは波長が異なる複数種類の治療レーザ光を照射できる。例えば、眼科用レーザ治療装置が備えるレーザ光源の数の増加を抑制できる。よって、例えば、眼科用レーザ治療装置１Ａを安価に提供できる。眼科用レーザ治療装置１Ａの製造、または設置が容易になる。また、眼科用レーザ治療装置１Ａの大型化を抑制できる。
【００８５】
また、第２実施形態の眼科用レーザ治療装置１Ｂは、第２反射領域Ｐ２の周囲に第１反射領域Ｐ１が形成されている。これによって、例えば、波長が異なる複数種類の治療レーザ光を、同一方向から患者眼Ｅｐの患部へ照射し易い。また、照射光学系１０において、波長が異なる複数種類の治療レーザ光の光路を共用化（同軸化）し易い。例えば、波長が異なる複数種類の治療レーザ光の光路において、照射光学系１０の部材を共用できる。よって、眼科用レーザ治療装置１Ｂを安価に提供できる。
【００８６】
また、第１実施形態の眼科用レーザ治療装置１Ａ、および第２実施形態の眼科用レーザ治療装置１Ｂは、第１波長レーザ光は赤外光であり、第２波長レーザ光は可視光である。観察光と第１反射領域Ｐ１とが重なる重畳面積は、観察光と第２反射領域Ｐ２とが重なる重畳面積よりも大きい。これによって、例えば、観察光学系３０で観察光が減光する事象を抑制できる。よって、術者は明るさが好適な観察像を確認できる。また、観察光学系３０で観察像に色付きが生じる事象を抑制できる。換言するなら、観察光学系３０で色再現性または演色性が低下する事象を抑制できる。よって、術者は色調が好適な観察像を観察できる。なお、本開示において、観察光と第２反射領域Ｐ２とが必ず重なる必要はない（つまり重畳面積がゼロであってもよい）ことは、当業者であれば容易に分かるであろう。
【００８７】
また、第１実施形態の眼科用レーザ治療装置１Ａ、および第２実施形態の眼科用レーザ治療装置１Ｂは、第１反射面２２Ａに形成される第１反射領域Ｐ１の面積は、第２反射面２２Ｂに形成される第２反射領域Ｐ２の面積よりも大きい。これによって、例えば、光束径の大きい第１波長レーザ光を第１反射面２２Ａで反射しつつ、術者は画質が好適な観察像を観察できる。例えば、入射角の大きい治療レーザ光を患者眼Ｅｐの患部に照射し易い。一例として、患者眼Ｅｐの患部をプラズマで治療し易い。
【００８８】
また、第１実施形態の眼科用レーザ治療装置１Ａ、および第２実施形態の眼科用レーザ治療装置１Ｂは、分離した複数の観察光が第２反射面２２Ｂ（第２実施形態では反射面２５ａ）を透過して、分離した複数の観察光の光路（透過領域）の間に第２反射領域Ｐ２が形成されている。これによって、例えば、観察光学系３０へ第２反射面２２Ｂを容易に設置できる。また、観察光の光軸Ｌ３に交差する方向の眼科用レーザ治療装置（１Ａ，１Ｂ）の面積の増加を抑制できる。また、観察光学系３０へ第２反射面２２Ｂを設けたことで観察像の画質が低下してしまう事象を抑制できる。
【００８９】
また、第１実施形態の眼科用レーザ治療装置１Ａは、第１波長レーザ光と第２波長レーザ光とを同軸にして第１反射面２２Ａまたは第２反射面２２Ｂに入射させて、第２実施形態の眼科用レーザ治療装置１Ｂは、第１波長レーザ光と第２波長レーザ光とを同軸にして反射面２５ａ入射させる。これによって、例えば、簡素な構成で観察光学系３０に第１反射面２２Ａと第２反射面２２Ｂ（第２実施形態では反射面２５ａ）を設置できる。また、観察光学系３０と照射光学系１０との接続が容易である。一例として、眼科用レーザ治療装置（１Ａ，１Ｂ）の製造が容易になる。
【００９０】
また、第１実施形態の眼科用レーザ治療装置１Ａ、および第２実施形態の眼科用レーザ治療装置１Ｂは、観察光学系３０には対物レンズ２３が含まれ、観察光学系３０には、第１反射面２２Ａおよび第２反射面２２Ｂ（第２実施形態では反射面２５ａ）よりも患者眼Ｅｐ側に対物レンズ２３が配置されている。これによって、例えば、患者眼Ｅｐの前方を簡素な構成にできる。また、患者眼Ｅｐの前方を簡素な構成にしつつ、入射角の大きい治療レーザ光を患者眼Ｅｐの患部に照射し易い。
【００９１】
また、第１実施形態の用いた眼科用レーザ治療装置１Ａ、および第２実施形態の用いた眼科用レーザ治療装置１Ｂは、第１波長レーザ光を用いて患者眼Ｅｐの組織を光破壊または光破裂し、第２波長レーザ光を用いて患者眼Ｅｐの組織を光加熱する。これによって、例えば、眼科用レーザ治療装置（１Ａ，１Ｂ）は、簡素な構成でありながら、術者は観察部位を好適に観察でき、複数種類の患部の治療を容易に行える。
【００９２】
＜その他＞
なお、第１実施形態および第２実施形態では、観察光は第２反射領域Ｐ２を避けて透過するが、観察光と第２反射領域Ｐ２とが重なっていてもよい。一例として、照明光学系４０に照明光の分光波長特性を変化させる色調変更手段（例えば光学面へのコーティング処理）を設けてもよい。もしくは、第２反射領域Ｐ２とは別に、観察光学系３０に観察光の分光波長特性を変化させる色調変更手段（例えば光学面へのコーティング処理）を設けてもよい。つまり、第２反射領域Ｐ２で変化する観察光の波長バランスを、眼科用レーザ治療装置が備える色調変換手段によって補償（相殺）してもよい。ただし、色調変更手段を用いることで、観察光源の光量を増加させる必要が生じる、もしくは観察像が暗くなる可能性がある。したがって、観察光と第２反射領域Ｐ２との重畳面積が小さいほど好ましい。
【００９３】
なお、第１実施形態および第２実施形態では、眼科用レーザ治療装置（１Ａ，１Ｂ）の筐体内に照射光学系１０が収容されているが、照射光学系１０の態様はこれに限るものでは無い。例えば、照射光学系１０を別ユニット化（デリバリーユニット化）してもよい。詳細には、照射光学系１０を含む別ユニットを、患者眼Ｅｐの観察手段を有する装置に対して着脱可能な態様としてもよい。
【００９４】
なお、第１実施形態および第２実施形態では、合成手段２９（２９Ａ，２９Ｂ）を板状の光学部材で構成しているが、合成手段２９の態様はこれに限るものではない。例えば、プリズム形状の部材を用いて合成手段を形成してもよい。
【００９５】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００９６】
１Ａ：眼科用レーザ治療装置
１１：レーザ光源
２２：ダイクロイックミラー
２２Ａ：第１反射面
２２Ｂ：第１反射面
２５：ダイクロイックミラー
２５Ａ：反射面
３０：観察光学系
６２：波長変換器
Ｅｐ：患者眼
Ｐ１：第１反射領域
Ｐ２：第２反射領域
【図１】
2016193072.tif 000003
【図２】
2016193072.tif 000004
【図３】
2016193072.tif 000005
【図４】
2016193072.tif 000006
【図５】
2016193072.tif 000007
【図６】
2016193072.tif 000008
【図７】
2016193072.tif 000009
【図８】
2016193072.tif 000010
【図９】
2016193072.tif 000011
【図１０】
2016193072.tif 000012
【図１１】
2016193072.tif 000013
【図１２】
2016193072.tif 000014
【図１３】
2016193072.tif 000015
【図１４】
2016193072.tif 000016
【図１５】
2016193072.tif 000017